(57)【要約】【課題】  縦型レイアウトのビデオカメラにおいて、大画面表示パネルの搭載を可能とし、かつ、表示パネル開閉動作の操作性に優れたビデオカメラを実現する。【解決手段】  画像表示パネルの角部にボールジョイントタイプのヒンジを配し、本体と任意の位置関係に開閉自在に取り付けるとともに、画像表示パネルの対角線上に位置する、前記ヒンジとは反対側に、画像表示パネルのロック機構を設けた。【選択図】  図１
2006041606.tif 000002
【特許請求の範囲】
【請求項１】
撮影した画像等を表示する画像表示パネルを、ビデオカメラ本体に対し任意の位置関係に開閉自在とするヒンジを介して取り付けたビデオカメラであって、前記ヒンジを前記画像表示パネルの角部に配置したことを特徴とするビデオカメラ。
【請求項２】
前記第１項において、前記ヒンジがボールジョイントであることを特徴とするビデオカメラ。
【請求項３】
前記第１項において、前記画像表示パネルを本体に収納したときに、前記画像表示パネルの長手方向と、ビデオカメラ本体の長手方向が一致することを特徴とするビデオカメラ。
【請求項４】
撮影した画像等を表示する画像表示パネルを、ビデオカメラ本体に対し任意の位置関係に開閉自在とするヒンジを介して取り付けたビデオカメラであって、前記ヒンジを前記画像表示パネルの角部に配置するとともに、前記画像表示パネルを本体に固定するためのロック手段を、前記画像表示パネルの対角線上の、前記ヒンジとは反対側の角部に設けたことを特徴とするビデオカメラ。
【請求項５】
前記第４項において、ヒンジがボールジョイントであることを特徴とするビデオカメラ。
【請求項６】
前記第４項において、前記画像表示パネルを本体に収納したときに、前記画像表示パネルの長手方向と、ビデオカメラ本体の長手方向が一致することを特徴とするビデオカメラ。
【発明の詳細な説明】
【技術分野】
【０００１】
本発明は、静止画あるいは動画などの撮像画像を表示するＬＣＤ等の表示部を備えるビデオカメラに関するものである。
【背景技術】
【０００２】
近年、ビデオカメラ小型化のレイアウトとして、本体が高さ方向（垂直方向）に長い直方体形状のものが市場に提案されて好評である。図１０はその代表的な例を示すもので、図中、１はビデオカメラ本体、２はＬＣＤなどによって構成されている表示パネル、２ａはその表示画面、４はレンズ部である。このような、いわゆる縦型のレイアウトでは、表示ＬＣＤのサイズが本体の幅に制限されるという問題があったが、この解決案として、特開平１１−２４３４９８の様な提案がなされている。
【０００３】
図１１〜図１３はその内容を示したもので、図中、３は表示パネル２を回動自在に支持するヒンジ部である。図１１は、本体に表示部２が収納された状態を示す図で、表示パネル２は、前記ヒンジ部が所定の負荷を付与しつつ、直交する２軸周りに回動できるように構成されている。
【０００４】
この収納状態から、通常の撮影を行うときには、表示パネルを本体から引き起こす。その過程を図１２、図１３を用いて説明する。図１１において、図中矢印の方向（前記ヒンジ部の第１の回転軸まわりの方向）に表示パネルを引き上げる。図１２の位置に至ったら、次に、表示パネル２を図中矢印の方向（前記ヒンジ部の第２の回転軸周りの方向）に回転させると、図１３に示した撮影位置となる。この様に構成することで、本体寸法に左右されずに、視認性に優れる大型ＬＣＤを採用した縦型レイアウトのビデオカメラを実現することができる。
【発明の開示】
【発明が解決しようとする課題】
【０００５】
しかしながら、このような構成では、収納状態の表示パネルを撮影位置に移動させるために、２方向（２段階）に分けて動かす必要があり、機動性・操作性に欠けるという問題があった。
【課題を解決するための手段】
【０００６】
本発明は、上記問題点を解決するためになされたもので、表示パネルを支持するヒンジ部を、表示パネルの角部に配置するとともに、任意の方向に回動できるボールジョイントタイプとし、かつ、前記、表示パネルのロック手段を、このヒンジに対して表示パネルの対角線上の反対側に配置することで、表示パネルを収納状態から撮影状態へと連続的に１アクションで開くことを可能とするものである。
【発明の効果】
【０００７】
以上説明したように、表示パネルの角部に、従来の直交２軸タイプのヒンジではない、ボールジョイントタイプのヒンジを配し、表示パネルの対角線上の反対側に表示パネルのロック部材を形成することで、表示パネルを収納状態から撮影状態へと連続的に１アクションで開くことができ、ビデオカメラの操作性を大幅に向上させることができる。
【０００８】
特に、本発明によれば、ビデオカメラの小型化と操作性の確保に適した縦型レイアウトにおいて、本体の幅寸法に規制されずに大型の表示パネルを搭載することができ、かつ操作性にも優れたビデオカメラを実現する効果がある。
【発明を実施するための最良の形態】
【０００９】
図１〜図３に本発明によるビデオカメラを示す。図１は表示パネルを収納した状態、図２は表示パネルを開く途中の状態、図３は通常の撮影状態を示すものである。図中、７は本発明によるボールジョイントヒンジ、８は液晶ビューファインダー、９は撮影ボタンである。図１において、５のロック手段を解除し、そのまま、矢印方向に表示パネル２を引き上げる。この引き上げ動作にともない、連続的に表示パネル２をねじるように回転させる（図２）と、図３の撮影位置へと１アクションで表示パネル２を移動させることができる。
【００１０】
また、表示パネル２の他の使用位置の一例を図４〜図５に示す。図４は、表示パネル２を、図３に示した標準的な撮影位置から、さらに、撮影者から見て前方に回転させた位置であるローアングル撮影状態、図５は逆に図２の位置から後方に回転させたハイアングル撮影状態である。図６は、図４の状態から、さらに表示パネル２を前方に回しつつ、ビデオカメラ本体方向に沿うようにした状態で、表示パネルの表示画面２ａの水平方向と、ビデオカメラ本体の幅方向とが一致している。この状態では、撮影した画像等を、表示パネルを使用して再生して楽しむことができる。
【００１１】
次に、図７および図８に、前記ロック手段５の構成の一例を示す。ロック部材５は、表示パネル２に対し、回転中心５ａ周りに回動自在に取りつけられており、弾性を有する部分が一体に形成されている。この弾性部材の反力によって、ロック部材５は回転中心５ａを中心に図中反時計周りに付勢されている。図８は、表示パネル２がビデオカメラ本体１にロックされている状態（図１の収納状態）である。ロック部材先端に設けられた爪部が、ビデオカメラ本体に設けられたロック穴６に引っかかり、表示パネル２をロックしている。図７は、ロックを解除する状態を示したもので、表示パネル２を引き起こすときに、指でロック部材５に設けられた凸部を押すことにより、ロック部材５が５ａを中心に時計回りに回動し爪部がロック穴６から外れて表示パネル２のロックが解除される。
【００１２】
このロック部材を、表示パネル２に対し、ヒンジとは対角線上の反対側に配置することで、収納状態にある表示パネルを開こうとするときに、表示パネルの角部にあるこの部分に指をかけることで、無意識にロックが解除され、前述したように、そのままその指で表示パネルを引き起こし、撮影状態まで移動させることが可能である。
【００１３】
次に、本発明によるボールジョイントヒンジ７の構成の一実施例を、図９を用いて説明する。図９において、１０は表示パネル２と一体に動作するように取り付けられたジョイントカップ、１１はビデオカメラ本体１と一体に形成されているフランジ部、１２は与圧バネ、１３はボール、１４はジョイントカップを前記フランジ部１１に対し押しつけるための固定部材、１５は表示画面とビデオカメラ本体１との間の配線ケーブル、１６は固定部材１４をビデオカメラ本体１に固定するビスである。なお、図９は、ボールジョイントヒンジ７の断面を示したものである。
【００１４】
図９において、表示パネル２と一体に動作するジョイントカップ１０は、フランジ部１１の穴に埋め込まれた、複数の与圧バネ１２とボール１３によって、そのカップ状に形成された部分と、固定部材１４の球状に加工された先端部分が圧着され、摺動するように構成されている。すなわち、表示パネル２およびジョイントカップ１０は、ジョイントカップのカップ状部分（球面）の中心点Ｏを中心に、紙面向かって上下、前後、自在に動作が可能である。このとき、前記ボール１３とジョイントカップ１０、およびジョイントカップと固定部材の２ケ所の摺動部に対し、前記与圧バネの作用により摩擦抵抗が生じ、表示パネルの動作中に適度な負荷抵抗を与えている。この負荷抵抗を適当に選ぶことにより、表示パネルを任意の位置に保持することも可能である。
【図面の簡単な説明】
【００１５】
【図１】本発明によるビデオカメラの表示パネル収納状態を示す図
【図２】本発明によるビデオカメラの表示パネル引き起こし過程を示す図
【図３】本発明によるビデオカメラの撮影状態を示す図
【図４】本発明によるビデオカメラのローアングル撮影状態を示す図
【図５】本発明によるビデオカメラのハイアングル撮影状態を示す図
【図６】本発明によるビデオカメラの再生状態を示す図
【図７】本発明による表示パネルロック部材の解除を示す図
【図８】本発明による表示パネルロック部材のロック状態を示す図
【図９】本発明によるボールジョイントヒンジの構成を示す図
【図１０】従来の縦型レイアウトのビデオカメラを示す図
【図１１】従来の縦型レイアウトのビデオカメラを示す図（表示パネル収納状態）
【図１２】従来の縦型レイアウトのビデオカメラを示す図（表示パネル引き起こし過程）
【図１３】従来の縦型レイアウトのビデオカメラを示す図（撮影状態）
【符号の説明】
【００１６】
１  ビデオカメラ本体
２  表示パネル
３  従来のヒンジ
４  レンズ
５  ロック部材
６  本体に設けられたロック穴
７  ボールジョイントヒンジ
８  液晶ファインダー
９  トリガーボタン
１０  ジョイントカップ
１１  フランジ
１２  与圧バネ
１３  ボール
１４  固定部材
１５  配線コード
１６  ビス
【図１】
2006041606.tif 000003
【図２】
2006041606.tif 000004
【図３】
2006041606.tif 000005
【図４】
2006041606.tif 000006
【図５】
2006041606.tif 000007
【図６】
2006041606.tif 000008
【図７】
2006041606.tif 000009
【図８】
2006041606.tif 000010
【図９】
2006041606.tif 000011
【図１０】
2006041606.tif 000012
【図１１】
2006041606.tif 000013
【図１２】
2006041606.tif 000014
【図１３】
2006041606.tif 000015